【事件の表示】
　特願２００２−５７２５７７「デモ用データの記録媒体からの再生方法」拒絶査定不服審判事件〔平成１４年　９月１９日国際公開、ＷＯ０２／７３６１７、平成１６年　７月　２日国内公表、特表２００４−５１９８０８〕について、次のとおり審決する。
【結　論】
　本件審判の請求は、成り立たない。
【理　由】
１．手続の経緯・本願発明
　本件審判の請求に係る特許出願（以下「本願」という。）は、平成１４年３月１２日（パリ条約による優先権主張２００１年３月１３日、大韓民国）を国際出願日とする出願であって、平成１７年８月９日付け拒絶理由通知に対して、平成１８年２月１６日付けで手続補正がなされたが、平成１８年３月１４日付けで拒絶の査定がなされ、これに対し、平成１８年６月２０日付けで拒絶査定不服審判が請求されるとともに、平成１８年７月２０日付けで手続補正がなされたが、これに対し、当審において、平成２０年４月８日付けで拒絶理由が通知され、これに応答して平成２０年８月１５日付けで手続補正がなされたものである。 
　そして、本願の請求項１乃至１２に係る発明は、平成２０年８月１５日付け手続補正書によって補正された明細書の特許請求の範囲の請求項１乃至１２に記載された事項により特定されるとおりと認められるところ、その請求項１に係る発明は次のとおりのものである。
「　【請求項１】　記録データの再生要請時、記録されたデータ全体の再生を許す再生許可情報が、記録媒体または装置内に存在するかを確認する１段階と；
　前記確認の結果、再生許可情報が存在しない場合、記録データの一部区間を指し示す位置情報を読み出す２段階であって、前記記録データの一部区間はデモ用データとして指定され、かつ再生許可情報無しで再生され、ソースデータは再生許可情報によってのみ再生され、データの一部記録区間が存在するか否かを示す指示情報が記録データの一部区間の存在を指示する場合だけ、前記位置情報が指定される、前記２段階と、
　前記読み出された位置情報を利用して、再生要請された記録データの一部区間のみを選別再生する３段階とを含むことを特徴とするデータの再生方法。」（以下「本願発明」という。）
　
２．刊行物及びその記載
　当審における拒絶の理由に引用された刊行物である特開平１０−２０８３８８号公報（以下「刊行物１」という。）には、情報再生方法について、図面とともに以下の記載がある。（なお、下線は当審で付与した。）
（１）「【００３６】図１は一例として、ゲームソフトが記録された光ディスク１をディスク再生装置２により再生し、また、再生の対価をソフトウエア（以下ソフト）の提供者であるソフトハウス３がディスク再生装置２のユーザから徴収するシステムを示し、このシステムではディスク１は例えば雑誌などの付録として無料又はごく安価にユーザに提供される（図示１（刊行物１はマルに１） ）。ディスク１の情報エリアには例えば５０個のゲームソフトとディスク１を他のディスクから識別する固有の情報（以下、ディスクＩＤ）が記録されている。また、個々のゲームソフト毎、あるいはすべてのゲームソフトを包含する形で固有の情報（以下、タイトルキー）が設定され、この実施形態ではこのタイトルキーとソフトの通し番号が１対１で対応している。なお、代わりにタイトルキーと例えばソフトのファイル名などを対応させてもよい。後述するように、ディスク提供者であるソフトハウス３とユーザ側であるディスク再生装置２は通信回線などを介して相互に通信可能であり、それぞれ図示省略のＣＰＵ（中央演算処理装置）やインターフェースを有しているものとする。
【００３７】
また、ディスク１の例えばセクタヘッダには、暗号鍵が入力されなくても再生を許可するエリア（例えばソフト毎の第１シーン）のアドレス情報と、暗号鍵の入力を条件として再生を許可するエリア（ソフト本体）のアドレス情報が記録されている。そして、ディスク再生装置２はディスク１を再生する場合、ソフト毎に例えばソフトの第１シーンが再生可能であるが、そのソフトのその後は暗号鍵が入力されないと再生することができないように構成されている。
　
（２）「【００４１】
ディスク再生装置２ではディスク１がセットされると、暗号鍵がなくても再生を許可するエリアのみを再生して表示する。これにより、ユーザは再生したい所望のソフトの概要あるいは冒頭部分を知ることができるが、そのソフトの暗号鍵はユーザにとって不明である
【００４２】先ず、ディスク再生装置２やユーザは、ソフトハウス３に対して例えばモデムやＰＢ信号と電話回線やＩＳＤＮ回線を介して
・ディスク１のＢＣＡ番号（例えば「００１２３」）と、
・ユーザが任意に設定する暗証番号（例えば「０１０１０」）と
・対価支払いのためのクレジットカード番号と
・所望のソフトの番号「０１」
を知らせる（図示）。この場合、再生を許可する暗号鍵は例えば、
【００４３】
【数１】
　暗号鍵＝「タイトルキー」−「ＢＣＡ番号」−「暗証番号」
　　　　＝０８００１−００１２３−０１０１０
　　　　＝０６８６８
【００４４】とする。
次いで、ソフトハウス３はディスク１のソフトの番号「０１」を再生する対価を支払う条件で、例えばモデムなどを用いてこの暗号鍵をディスク再生装置２に送る（図示 ）。
　
（３）「【００４８】次に図５により、
所望の情報を光ディスク１から再生するための手順について説明する。図５はディスク再生装置２における再生許可の処理手順を示すフローチャートである。
ま、光ディスク１には先に説明した図４の処理により、ソフトハウスで生成した暗号鍵が記録されているものとする。
次いでステップＳ２２で暗号鍵を読み出す。これらの情報はいずれもＢＣＡに記録されていて、バーコードとして読み出される。ステップＳ２３で暗号鍵の存在が確認されると、ステップＳ２４でタイトルキーを検出する。
【００４９】ステップＳ２５では、ステップＳ２１、Ｓ２２で読み出されたディスクＩＤ、暗号鍵とステップＳ２４で検出されたタイトルキーを用いて次式に示すように暗証番号を算出する。
【００５０】
【数２】
　暗証番号＝「タイトルキー」−「ＢＣＡ番号」−「暗号鍵」
　　　　　＝０８００１−００１２３−０６８６８
　　　　　＝０１０１０
【００５１】こうして算出された暗証番号を算出暗証番号という。次に、ステップＳ２６でユーザに対して暗証番号の入力を要求する。この暗証番号を入力暗証番号という。ステップＳ２７で入力暗証番号が入力されたかを判断し、入力されるとステップＳ２８で入力暗証番号が算出暗証番号と一致するか否かを判断する。
一致するとステップＳ２９で該当タイトルの再生を許可するためにタイトルキー「０８００１」に対応するディスク１のソフトの番号「０１」の再生を許可し、一致しないとき並びにステップＳ２３で暗号鍵が検出されなかったときはステップＳ３０でソフトの再生が実行できないよう再生を不許可とする。
　
（４）「【００６２】また、複数の情報に対して異なる暗証番号を設定することもでき、任意のタイトルの組み合わせで再生制限をかけることもできる。また、記録媒体に記録された複数の情報のうち少なくとも一つを特定する情報は、記録媒体に記録された複数の情報のうち少なくとも一つの再生を許可する情報と同義であり、再生制限情報そのものである。したがって、実施例中タイトルキーとされている情報は再生制限情報としてもよく、
タイトルが一つ（情報が一つ）の場合には記録媒体の再生許可情報に相当する。
　
（５）図５のＳ３０には、暗号鍵が存在しなかった場合の処理として「再生不許可、又は制限された再生」を行うことが記載されている。
　
　上記摘示事項を、図面とともに総合整理すると、刊行物１には次の発明が記載されているものと認める。
「光ディスクのセクタヘッダに、暗号鍵が入力されなくても再生を許可するエリア（例えばソフトの第１シーン）のアドレス情報と暗号鍵の入力を条件として再生を許可するエリア（ソフト本体）のアドレス情報が記録されており、
暗号鍵が入力されないと、例えばソフトの第１シーンが再生可能であるが、
そのソフトのその後を再生することができない光ディスクにおいて、
所望の情報を光ディスクから再生するために、
光ディスクから暗号鍵を読み出し、暗号鍵の存在を確認し、
暗号鍵が検出されなかったときはソフトの再生を制限された再生とする
情報再生方法。」（以下「刊行物発明」という。）
　
　また、同じく、当審における拒絶の理由で引用された刊行物である特開２００１−５２４６７号公報（以下「刊行物２」という。）には、光ディスについて、図面とともに以下の記載がある。
（６）「【０２２７】「Ｃ＿ＥＰＩ」（図４１、図４２）
Ｃ＿ＥＰＩ（セルエントリポイント情報）は、目的に応じてタイプＡ、タイプＢ、タイプＣ、タイプＤの４つのタイプ（Type）に分類される。
タイプＣは曲において特に特徴的な区間であるスポットライト部分を指定するために使用される。
【０２２８】「Ｃ＿ＥＰＩ（タイプＡ）」（図４１）
Ｃ＿ＥＰＩ（タイプＡ）は、エントリポイントを示す以下の情報から構成されている。
ＥＰ＿ＴＹ（エントリポイントタイプ）
このエントリポイントのタイプを識別する以下の情報が図３５に示すフォーマットに従い記録されている。
ＥＰ＿ＴＹ１
００ｂ  ：  プライマリーテキストが付加される
０１ｂ  ：  プライマリーテキストが付加されない
ＥＰ＿ＴＹ２
００ｂ  ：  タイプＡ
０１ｂ  ：  タイプＢ
１０ｂ  ：  タイプＣ
０１ｂ  ：  タイプＤ
ＥＰ＿ＰＴＭ（エントリポイント時刻）
エントリポイントが置かれている時刻が図２４に示すフォーマットに従い記録されている。タイプＡのセルではこの値はセルのＣ＿Ａ＿Ｓ＿ＰＴＭと同一で無ければならない。
ＰＲＭ＿ＴＸＴＩ（プライマリテキスト情報）
タイプＡ１では、このエントリポイントが示す場所の内容を示すテキスト情報が記録されている。詳細は、前述したＰＲＭ＿ＴＸＴＩと同一である。
【０２２９】「Ｃ＿ＥＰＩ（タイプＢ）」（図４１）
Ａ＿Ｃ＿ＥＰＩ（タイプＢ）は、タイプＡが有するＥＰ＿ＴＹ、ＥＰ＿ＰＴＭの他に、以下に記すＩＤＸＮを有している。また、タイプＢ１ではタイプＡ１と同様にＰＲＩ＿ＴＸＴも有する。
ＩＤＸＮ（インデックス番号）
このエントリポイントが示すインデックスの番号が記録されている。
【０２３０】
「Ｃ＿ＥＰＩ（タイプＣ）」（図４１）
Ａ＿Ｃ＿ＥＰＩ（タイプＣ）は、タイプＡが有するＥＰ＿ＴＹ、ＥＰ＿ＰＴＭの他に、以下に示すＥＮＤ＿ＰＴＭを有している。また、タイプＣ１ではタイプＡ１と同様に、ＰＲＩ＿ＴＸＴも有する。
ＥＮＤ＿ＰＴＭ（終了時刻）
当該スポットライトの終了時間が図２４に示すフォーマットに従い記録されている。なお、当該スポットライトの開始時間はＥＰ＿ＰＴＭで与えられる。
【０２３１】「Ｃ＿ＥＰＩ（タイプＤ）」（図４１）
Ａ＿Ｃ＿ＥＰＩ（タイプＤ）は、タイプＡが有するＥＰ＿ＴＹ、ＥＰ＿ＰＴＭの他に、以下に記すＡＳＶＯＢ＿ＥＮＴＮ、Ｓ＿ＥＦＦＥＣＴ、Ｅ＿ＥＦＦＥＣＴ、ＭＡＸ＿ＤＵＲ、ＭＩＮ＿ＤＵＲを有している。また、ＥＰ＿ＰＴＭに関してはフォーマットは同一であるが、使用方法が一部異なる。また、タイプＤ１ではタイプＡ１と同様にＰＲＩ＿ＴＸＴも有する。」
　
３．本願発明と刊行物発明との対比 
（ａ）刊行物発明の「光ディスク」は、本願発明の「記録媒体」に相当する。
（ｂ）刊行物発明は「暗号鍵の入力を条件として」ソフト本体の再生が許可されるものであるから、刊行物発明の「暗号鍵」は、本願発明の「記録されたデータ全体の再生を許す再生許可情報」に相当する。
（ｃ）刊行物発明の「所望の情報を光ディスクから再生する」際に、「光ディスクから暗号鍵を読み出し、暗号鍵の存在を確認」する段階は、本願発明の「記録データの再生要請時、記録されたデータ全体の再生を許す再生許可情報が、記録媒体または装置内に存在するかを確認する１段階」に相当する。
（ｄ）刊行物発明の「暗号鍵が入力されなくても再生を許可するエリア」に格納されたデータ（例えばソフトの第１シーンのデータ）は、ユーザが無料でソフトの概要あるいは冒頭部分を知るためのデータであって（上記２．刊行物及びその記載（２）参照）、本願発明の「デモ用データ」に相当する。
（ｅ）刊行物発明は「暗号鍵が検出されなかったときはソフトの再生を制限された再生とする」ものであって、「ディスクのセクタヘッダに、暗号鍵が入力されなくても再生を許可するエリア（例えばソフトの第１シーン）のアドレス情報」が記録され、「暗号鍵が入力されないと、例えばソフトの第１シーン」を再生可能とするものであるから、暗号鍵が検出されなければ、ディスクヘッダに記録された暗号鍵が入力されなくても再生を許可するエリアに格納されたソフト（例えばソフトの第１シーン）を再生するものである。そして、「ソフトの第１シーン」は、「ソフト全体」の一部区間であり、また、再生を行うために、再生を許可するエリアに格納されたソフト（例えばソフトの第１シーン）のアドレス情報を読み出していることは自明であるから、刊行物発明は、本願発明の「前記確認の結果、再生許可情報が存在しない場合、記録データの一部区間を指し示す位置情報を読み出す２段階であって、前記記録データの一部区間はデモ用データとして指定され、かつ再生許可情報無しで再生され」に相当する段階を備えている。
（ｆ）刊行物発明の「ソフト本体」は、本願発明の「ソースデータ」に相当し、刊行物発明は「暗号鍵の入力を条件として」ソフト本体が再生されるものであるから、刊行物発明は、本願発明の「ソースデータは再生許可情報によってのみ再生され」に相当する機能を備えている。
（ｇ）刊行物発明が「暗号鍵が入力されない」ときに「例えばソフトの第１シーンが再生」する段階は、ソフトの第１シーンの再生のために、読み出されたアドレス情報を利用していることは自明であるから、本願発明の「前記読み出された位置情報を利用して、再生要請された記録データの一部区間のみを選別再生する３段階」に相当する。
（ｈ）刊行物発明の「情報再生方法」は、本願発明の「データの再生方法」に相当する。
　
　したがって、本願発明と刊行物発明との［一致点］及び［相違点］は以下のとおりである。
　
 　［一致点］
「記録データの再生要請時、記録されたデータ全体の再生を許す再生許可情報が、記録媒体または装置内に存在するかを確認する１段階と；
　前記確認の結果、再生許可情報が存在しない場合、記録データの一部区間を指し示す位置情報を読み出す２段階であって、前記記録データの一部区間はデモ用データとして指定され、かつ再生許可情報無しで再生され、ソースデータは再生許可情報によってのみ再生される、前記２段階と、
　前記読み出された位置情報を利用して、再生要請された記録データの一部区間のみを選別再生する３段階とを含むことを特徴とするデータの再生方法。」の点。
　
　[相違点］
　本願発明が「データの一部記録区間が存在するか否かを示す指示情報および前記データの一部記録区間を指し示す位置情報を含み、前記位置情報は、前記指示情報が前記データの一部記録区間の存在を指示する場合だけ、指定され」るのに対して、刊行物発明では「データの一部記録区間が存在するか否かを示す指示情報」について特定されていない点。
　
４．当審の判断
　刊行物２（上記２．刊行物及びその記載（６）参照）には、再生されるデータの特定の位置（エントリポイント）を指定するために、エントリポイントの種類に応じたエントリポイントタイプと、エントリポイントの開始位置及び終了位置とからなるフォーマットでデータを記録し、エントリポイントタイプにより、指定されたエントリポイントの情報タイプを指示し、エントリポイントの開始位置及び終了位置により、エントリポイントの位置情報を指定することが記載されている。そして、刊行物発明とは、記録媒体の再生領域の管理を行っている点で技術分野が共通する。
　したがって、刊行物発明においても、データの一部区間の位置情報を指示するために、データの一部区間であることを示すエントリポイントタイプを設け、エントリポイントタイプによりエントリポイントの情報タイプを指示し、エントリポイントの開始位置及び終了位置により、エントリポイントの一部区間の位置情報を指定する構成を採用することは当業者が容易に想到しうることである。
　そして、刊行物発明に刊行物２に記載の技術を採用した場合、データの一部区間であることを示すエントリポイントタイプが存在する場合に、エントリポイントの位置情報に従って、再生が可能となるのであるから、エントリポイントタイプの有無を位置情報が存在するか否かを判断するための指示情報とすることも当業者が適宜なしうることである。
　また、再生されるデータの特定の場所を指定する際に、当該特定の場所が存在するか否かの情報を設けることも周知事項（特開平９−１２８８６８号公報の【００４８】等参照）である。
　
　そして、上記相違点についての判断を総合しても本願発明の奏する効果は、各刊行物から当業者が十分予測可能なもので格別のものではない。
　
５．むすび　
 　以上のとおりであるから、本願請求項１に係る発明は、刊行物１及び刊行物２に記載された発明及び周知技術に基づいて当業者が容易に発明をすることができたものであるから、特許法第２９条第２項の規定により特許を受けることができないものである。 
　したがって、本願は、その余の請求項について論及するまでもなく、拒絶をすべきものである。
　よって、結論のとおり審決する。